(57)【特許請求の範囲】
【請求項１】
複数の端子収容室内に端子が収容された雄コネクタハウジングと、この雄コネクタハウジングが挿入・嵌合されるフード部を有し、前記端子と接続される複数の相手方端子が前記フード部に収容された雌コネクタハウジングと、前記雌コネクタハウジングに回動自在に支持されるとともに操作部が前記フード部の外側に突設されて回動動作により前記雄コネクタハウジングを前記雌コネクタハウジングのフード部内に嵌合させるレバーとを備えたレバー嵌合式コネクタであって、前記フード部内へ雄コネクタハウジングを完全に嵌合させた状態又は前記レバーの回動途中に前記操作部のフード部外周からの突出量を低減する突出量低減手段を設け、前記レバーが、一端に前記操作部が設けられたレバー本体と、このレバー本体の前記操作部側に設けられた垂直リブと、雌コネクタハウジングにレバー本体を回動自在に支持する水平リブとを備え、前記雌コネクタハウジングが、雌コネクタハウジングのフード部を形成する壁部に設けられて前記垂直リブが摺動案内される垂直リブ摺動溝と、前記水平リブが回動自在に支持されるとともに前記レバーの回動により水平リブが水平方向へ移動する水平リブ摺動溝とを備え、前記突出量低減手段が、前記水平リブ摺動溝と、前記垂直リブ摺動溝と、前記垂直リブと、前記水平リブとで形成され、前記雌コネクタハウジングのフード部に雄コネクタハウジングを完全嵌合した状態で、前記操作部が雌コネクタハウジング内に収容される収納部が前記フード部の壁部に設けられ、前記水平リブ摺動溝が前記収納部内に操作部が完全に収納可能に水平リブを案内するように延設されていることを特徴とするレバー嵌合式コネクタ。
【請求項２】
請求項１に記載のレバー嵌合式コネクタであって、前記水平リブ摺動溝が、前記レバー本体が挿通する回動用凹部の対向する両対向面に設けられていることを特徴とするレバー嵌合式コネクタ。
【発明の詳細な説明】
【０００１】
【発明の属する技術分野】
本発明は、レバー操作によって雌雄一対のコネクタを嵌合させ、その嵌合を解除させるレバー嵌合式コネクタに関するものである。
【０００２】
【従来の技術】
従来のこの種のレバー嵌合式コネクタとしては、例えば図８及び図９に示すようなものがある。
【０００３】
このレバー嵌合式コネクタ１０１は、雄コネクタハウジング１０３と、この雄コネクタハウジング１０３が嵌合される雌コネクタハウジング１０５と、雌コネクタハウジング１０５に突設された軸部１０７に回動自在に支持されたコネクタ嵌合用のレバー１０９とを備えている。
【０００４】
レバー１０９は、軸部１０７に固定された渦巻状のばね部材１１１により、レバー１０９の開き方向に付勢されている。
【０００５】
雄コネクタハウジング１０３には、ガイドリブ１１３が突設されている。雌コネクタハウジング１０５には、前記雄コネクタハウジング１０３のガイドリブ１１３を案内するガイド用凹部１１５が設けられている。
【０００６】
レバー１０９には、雄コネクタハウジング１０３のガイドリブ１１３と係合して、雄コネクタハウジング１０３を雌コネクタハウジング１０５へ嵌入させる方向又は雌コネクタハウジング１０５から雄コネクタハウジング１０３を離脱させる方向へ押進させるカム溝１１７が設けられている。
【０００７】
レバー１０９の先端部にロック爪１１９が設けられており、雄コネクタハウジング１０３の後端側頂部には、前記ロック爪１１９を係合する係止アーム１２１が設けられている。
【０００８】
このレバー嵌合式コネクタ１０１では、図９（ａ）〜図９（ｃ）に示すように、レバー１０９がばね部材１１１に付勢された開状態で、雄コネクタハウジング１０３を雌コネクタハウジング１０５の前端側に接合し、雄コネクタハウジング１０３のガイドリブ１１３をレバー１０９のカム溝１１７の入口に係入させる。
【０００９】
そして、レバー１０９を閉方向（矢印Ｒ方向）に回動させてガイドリブ１１３をカム溝１１７に導入し、雄コネクタハウジング１０３を雌コネクタハウジング１０５へ嵌入させる方向へ押進させる。
【００１０】
そして、レバー１０９を前方へ倒して、全閉状態で雄コネクタハウジング１０３と雌コネクタハウジング１０５が完全に嵌合し、レバー１０９先端のロック爪１１９が雄コネクタハウジング１０３の係止アーム１２１に係合する。
【００１１】
したがって、てこの原理により雌雄一対のコネクタを小さい力で嵌合させることができる。
【００１２】
また、雌雄一対のコネクタが嵌合している状態から両コネクタハウジング１０３，１０５を離脱させるときには、係止アーム１２１を押してロック爪１１９の係合を解除させて、両コネクタハウジング１０３，１０５を引張ることにより、レバー１０９がばね部材１１１の付勢力により元の開状態に戻り、雄コネクタハウジング１０３と雌コネクタ１０５との嵌合が解除される。
【００１３】
【発明が解決しようとする課題】
しかしながら、上記のような従来のレバー嵌合式コネクタ１０１では、レバー１０９を閉方向へ回動させるとき及びレバー１０９が開方向へ戻るときに、レバー１０９の先端部が円弧運動をするので、レバー１０９の回動途中においてレバー１０９先端部の雌コネクタハウジング１０５外周からの突出量が大きくなる。このため、レバー１０９の操作スペースを大きく必要とするとともに、その操作性にも問題があった。
【００１４】
また、雌雄一対のコネクタを完全に嵌合させた状態でレバー１０９の先端部が雌コネクタハウジング１０５外周から突出しているので、レバー１０９の先端部に電線等の引掛かりなどによる外力がかかり、この外力によってレバー１０９先端のロック爪１１９の係止アーム１２１との係合が解除されて、雌コネクタハウジング１０５と雄コネクタハウジング１０３の嵌合が誤解除される恐れがあった。
【００１５】
本発明は、このような問題点に着目してなされたものであり、雌雄一対のコネクタを完全嵌合させた状態又はレバーの回動途中におけるレバーの雌コネクタハウジング外周からの突出量を低減することができ、その結果、レバーの操作スペースを省スペース化することができ、さらに雌雄一対のコネクタの嵌合の誤解除を防止することができるレバー嵌合式コネクタを提供することを課題としている。
【００１６】
【課題を解決するための手段】
上記課題を解決するために、請求項１に記載の発明は、複数の端子収容室内に端子が収容された雄コネクタハウジングと、この雄コネクタハウジングが挿入・嵌合されるフード部を有し、前記端子と接続される複数の相手方端子が前記フード部に収容された雌コネクタハウジングと、前記雌コネクタハウジングに回動自在に支持されるとともに操作部が前記フード部の外側に突設されて回動動作により前記雄コネクタハウジングを前記雌コネクタハウジングのフード部内に嵌合させるレバーとを備えたレバー嵌合式コネクタであって、前記フード部内へ雄コネクタハウジングを完全に嵌合させた状態又は前記レバーの回動途中に前記操作部のフード部外周からの突出量を低減する突出量低減手段を設け、前記レバーが、一端に前記操作部が設けられたレバー本体と、このレバー本体の前記操作部側に設けられた垂直リブと、雌コネクタハウジングにレバー本体を回動自在に支持する水平リブとを備え、前記雌コネクタハウジングが、雌コネクタハウジングのフード部を形成する壁部に設けられて前記垂直リブが摺動案内される垂直リブ摺動溝と、前記水平リブが回動自在に支持されるとともに前記レバーの回動により水平リブが水平方向へ移動する水平リブ摺動溝とを備え、前記突出量低減手段が、前記水平リブ摺動溝と、前記垂直リブ摺動溝と、前記垂直リブと、前記水平リブとで形成され、雌コネクタハウジングのフード部に雄コネクタハウジングを完全嵌合した状態で、前記操作部が雌コネクタハウジング内に収容される収納部が前記フード部の壁部に設けられ、前記水平リブ摺動溝が前記収納部内に操作部が完全に収納可能に水平リブを案内するように延設されていることを特徴としている。
【００１７】
この発明では、雌コネクタハウジングのフード部内へ雄コネクタハウジングを完全に嵌合させた状態又はレバーの回動途中に操作部のフード部外周からの突出量を低減する突出量低減手段を設けたので、雌雄一対のコネクタを完全に嵌合させた状態又はレバーの回動途中における操作部の雌コネクタハウジング外周からの突出量が低減される。
【００１８】
したがって、レバーの操作スペースを省スペース化することができる。
【００２０】
また、この発明では、雌コネクタハウジングのフード部内への嵌入時や、フード部内からの脱出時には、レバー本体の垂直リブは雌コネクタハウジングに設けられた垂直リブ摺動溝に案内されて、雄コネクタハウジングのフード部内への嵌入方向や、フード部内からの脱出方向へ直線移動するとともに、レバー本体の水平リブは雌コネクタハウジングに設けられた水平リブ摺動溝に案内されて直交方向（水平方向）へ移動する。
【００２１】
したがって、このレバー本体の移動とともに操作部が嵌入方向又は脱出方向へ直線移動するので、操作部の雌コネクタハウジング外周からの突出量が低減される。
【００２４】
また、この発明では、雌コネクタハウジングのフード部内に雄コネクタハウジングを完全に嵌合させた状態で、レバーの操作部を直交方向（水平方向）に押し込むことにより、水平リブは雌コネクタハウジングに延設された水平リブ摺動溝に案内されて移動するとともに操作部はフード部の壁部に設けられた収納部に完全に改善されるので、操作部の雌コネクタハウジング外周からの突出量が０（零）となる。
【００２５】
したがって、雌雄一対のコネクタを完全嵌合した状態で、レバーの雌コネクタハウジング外周からの突出量が０（零）であるから、雌雄一対のコネクタを嵌合状態で小型化することができるとともに、外力等による雌雄一対のコネクタの嵌合の誤解除を防止することができる。
【００２６】
請求項２に記載の発明は、請求項１に記載のレバー嵌合式コネクタであって、前記水平リブ摺動溝が、前記レバー本体が挿通する回動用凹部の対向する両対向面に設けられていることを特徴としている。
【００２７】
この発明では、水平リブ摺動溝をレバー本体が挿通する回動用凹部の対向する両対向面に設けているので、水平リブは水平リブ摺動溝に案内されて水平方向へ移動するとともにレバー本体は回動用凹部を水平方向へ移動する。
【００２８】
したがって、請求項１に記載の発明の作用と同等の作用が得られる。
【００２９】
【発明の実施の形態】
本発明の一実施形態を図１〜図７を用いて説明する。図１は、本発明の一実施形態を示す分解斜視図である。図２は、図１に示すものの雌コネクタハウジングの平面図である。図３は、図２に示すもののIII−III線断面図である。図４は、図２に示すものの雌コネクタハウジングIV−IV線断面図である。図５（ａ）〜（ｃ）、図６（ｄ）〜（ｆ）、図７（ｇ）、（ｈ）は、作用状態を示す断面説明図である。ただし、図１，図４では、レバーは回動上死点位置に位置し、図２，図３では、レバーは回動下死点位置に位置している。
【００３０】
図１に示すように、このレバー嵌合式コネクタ１は、雄コネクタハウジング３と、この雄コネクタハウジング３が嵌入されるフード部５を有する雌コネクタハウジング７と、雌コネクタハウジング７のフード部５内に回動自在に支持されるとともに操作部９がフード部５の外側に突出したレバー１１とを備えている。
【００３１】
雄コネクタハウジング３には、図外の雌型端子を収容する端子収容室１３が、左右２列に配列され、各列同数づつ所定のピッチで形成されている。各端子収容室１３は、雄コネクタハウジング３の頂面３ａから底面３ｂまで雄コネクタハウジング３を貫通し、頂面３ａの開口部から、リード線の先端に取り付けられた雌型端子が装着され、底面３ｂの開口部から、雌コネクタハウジング７のフード部５内に起立する雄型端子１５（相手端子）が挿入されるようになっている。
【００３２】
雄コネクタハウジング３の底面３ｂには、レバー１１が挿入されるレバー用凹部１７が形成されている。このレバー用凹部１７は、端子収容室１３配列の中間に位置し、その配列に沿って雄コネクタハウジング３の底部を貫通している。レバー用凹部１７には、所定位置にガイドリブ１９が配設されている。このガイドリブ１９は、レバー用凹部１７の互いに対向する両対向面を連結して設けられ、雄コネクタハウジング３を補強している。
【００３３】
図１〜図４に示すように、レバー１１は、レバー本体２１と、このレバー本体２１の一端側頂部に前記操作部９を設けて形成されている。レバー１１は、レバー本体２１が雌コネクタハウジング７のフード部５内に回動自在に立設され、操作部９が雌コネクタハウジング７のフード部５の一端側壁部５ａに設けられたスリット２３からフード部５外へ回動自在に突出されている。
【００３４】
レバー本体２１の他端側底部には、その両壁面にレバー本体２１を前記雌コネクタハウジング７に回動自在に支持させる回動支点となる水平リブ２５がそれぞれ設けられている。
【００３５】
レバー本体２１の操作部９側には、その両壁面にレバー本体２１を前記雌コネクタハウジング７に、前記雄コネクタハウジング３の嵌入方向Ｙ１及び脱出方向Ｙ２へ支持させる垂直リブ２７がそれぞれ設けられている。
【００３６】
レバー本体２１の頂部には、雄コネクタハウジング３のガイドリブ１９と係合して雄コネクタハウジング３をフード部５内への雄コネクタハウジング３の嵌入方向Ｙ１又はフード部５内からの雄コネクタハウジング３の脱出方向Ｙ２へ押進させるカム溝２９が形成されている。
【００３７】
さらに、レバー本体２１の頂部には、ガイドリブ１９を前記嵌入方向Ｙ１及び脱出方向Ｙ２と直交する直交方向Ｘへ移動可能に保持するガイドリブガイド用保持部３１が形成されている。このガイドリブガイド用保持部３１は、前記カム溝２９の下面と連続形成されている。
【００３８】
雌コネクタハウジング７には、雄型端子１５が多数植設されている。各雄型端子１５は、その一端が雌コネクタハウジング７の底部から雌コネクタハウジング７の左右両側へそれぞれ所定のピッチで突出している。雄型端子１５の他端部は、雌コネクタハウジング７のフード部５内で左右２列に配列され各列同数づつ所定のピッチで起立しており、フード部５内へ雄コネクタハウジング３を嵌入させることによって、雄コネクタハウジング３の端子収容室１３に配設された雌型端子に挿入接続されるようになっている。
【００３９】
レバー１１は、フード部５内の雄型端子１５の配列に沿って、その配列の中間位置に回動自在に配設されている。
【００４０】
レバー１１の操作部９をフード部５から回動自在に突出させる雌コネクタハウジング７のスリット２３は、フード部５の開放端面５ｂから嵌入方向Ｙ１に延び、この開放端面５ｂに開口部を有している。レバー１１は、その回動上死点位置ではスリット２３の開口部から頂部が突出するようになっている。
【００４１】
スリット２３の互いに対向する両対向面２３ａ，２３ａには、レバー本体２１に設けられた垂直リブ２７を嵌入方向Ｙ１及び脱出方向Ｙ２へ摺動案内する垂直リブ摺動溝３３がそれぞれ形成されている。
【００４２】
フード部５の底壁５ｃには、嵌入方向Ｙ１及び脱出方向Ｙ２と直交する直交方向Ｘへスリット２３の下端部から延び、レバー本体２１が回動自在に挿入された回動用凹部３５が形成されている。この回動用凹部３５の奥部の対向する両対向面３５ａ，３５ａには、回動用凹部３５と連通しレバー本体２１に設けられた水平リブ２５を直交方向Ｘ（水平方向）へ移動可能に保持する水平リブ摺動溝３７が形成されている。この水平リブ摺動溝３７及び回動用凹部３５は、スリット２３及び垂直リブ摺動溝３３と互いに連通している。
【００４３】
スリット２３の下端部には、フード部５に雄コネクタハウジング３を完全嵌合した状態で、前記レバー１１の操作部９を雌コネクタハウジング７内に収容する収納部３９が形成されている。また、前記水平リブ摺動溝３７は、前記収納部３９内にレバー１１の操作部９を収納可能に水平リブ２５を案内するように延設されている。
【００４４】
前記雌コネクタハウジング７のフード部５の一端側壁部５ａに形成された垂直リブ摺動溝３３と、フード部５の底壁５ｃに形成された水平リブ摺動溝３７と、前記レバー１１のレバー本体２１の他端側底部に設けられた水平リブ２５と、レバー本体２１の操作部９側に設けられた垂直リブ２７とにより、前記雌コネクタハウジング７のフード部５へ雄コネクタハウジング３を完全に嵌合させた状態又は前記レバー１１の回動途中に前記操作部９のフード部５外周からの突出量を低減する突出量低減手段Ａが形成されている。
【００４５】
雌コネクタハウジング７の底面には、雌コネクタハウジング７を電気回路基板に取り付けるための位置決め突部４１が２箇所に設けられている。
【００４６】
以上説明したレバー嵌合式コネクタ１では、図５（ａ）〜（ｃ）、図６（ｄ）〜（ｆ）、図７（ｇ）、（ｈ）に示すように、レバー１１を回動上死点位置に位置させた状態で雄コネクタハウジング３の底部を雌コネクタハウジング７のフード部５内に挿入し、レバー本体２１のカム溝２９に雄コネクタハウジング３のガイドリブ１９を導入してレバー１１の操作部９を押し下げることにより、レバー本体２１が水平リブ２５を回動支点として回動し、該水平リブ２５が水平リブ摺動溝３７を直交方向Ｘ（水平方向）に移動するとするとともに垂直リブ２７が垂直リブ摺動溝３３を嵌入方向Ｙ１へ移動する。このレバー本体２１の回動により、レバー本体２１のカム溝２９の上面と雄コネクタハウジング３のガイドリブ１９とが係合して雄コネクタハウジング３が嵌入方向Ｙ１へ押進される。したがって、てこの原理により雌雄一対のコネクタを小さい力で嵌合させることができる。
【００４７】
また、雌雄一対のコネクタが嵌合している状態でレバー１１の操作部９を持ち上げることによりレバー本体２１のカム溝２９の下面と雄コネクタハウジング３のガイドリブ１９とが係合し、雄コネクタハウジング３が脱出方向Ｙ２へ押進されて、てこの原理により雌雄一対のコネクタの嵌合を小さい力で解除することができる。
【００４８】
しかも、このレバー嵌合式コネクタ１では、レバー１１の回動時に、垂直リブ２７がフード部５の垂直リブ摺動溝３３に案内されて直線移動するので、レバー１１の操作部９が直線運動し、レバー１１の回動途中における操作部９のフード部５外周からの突出量が低減される。
【００４９】
したがって、レバー１１の操作スペースを省スペース化することができるとともに操作性を向上することができる。
【００５０】
また、雌コネクタハウジング７のフード部５に雄コネクタハウジング３を完全嵌合した状態で、レバー１１の操作部９を直交方向Ｘ（水平方向）に押し進むことにより、水平リブ２５が水平リブ摺動溝３７に案内されて移動し、図７（ｈ）に示すように、操作部９が雌コネクタハウジング７の収納部３９に収容されるので、操作部９のフード部５外周からの突出量が０（零）となる。
【００５１】
このとき、雄コネクタハウジング３のレバー用凹部１７に配設されたガイドリブ１９が、レバー本体２１のカム溝２９に連設したガイドリブガイド用保持部３１に案内されて、レバー本体２１と相対移動する。
【００５２】
したがって、レバー嵌合式コネクタを嵌合状態で小型化することができるとともに嵌合の安定性を向上することができる。
【００５３】
【発明の効果】
以上の説明より明らかなように、請求項１に記載の発明によれば、雌コネクタハウジングのフード部内へ雄コネクタハウジングを完全に嵌合させた状態又はレバーの回動途中に操作部のフード部外周からの突出量が突出量低減手段によって低減される。
【００５４】
したがって、レバーの操作スペースを省スペース化することができる。
【００５５】
また、請求項１に記載の発明によれば、雄コネクタハウジングのフード部内への嵌入時や、フード部内からの脱出時には、レバー本体の垂直リブは、雌コネクタハウジングに設けられた垂直リブ摺動溝に案内されて、雄コネクタハウジングのフード部内への嵌入方向や、フード部内からの脱出方向へ直線移動するとともに、レバー本体の水平リブは雌コネクタハウジングに設けられた水平リブ摺動溝に案内されて直交方向（水平方向）へ移動する。
【００５６】
したがって、このレバー本体の移動とともに操作部が嵌入方向又は脱出方向へ直線移動するので、操作部の雌コネクタハウジング外周からの突出量が低減される。
【００５８】
また、請求項１に記載の発明によれば、雌コネクタハウジングのフード部内に雄コネクタハウジングを完全に嵌合させた状態で、レバーの操作部を直交方向（水平方向）に押し込むことにより、水平リブは雌コネクタハウジングに延設された水平リブ摺動溝に案内されて移動するとともに操作部はフード部の壁部に設けられた収納部に完全に改善されるので、操作部の雌コネクタハウジング外周からの突出量が０（零）となる。
【００５９】
したがって、雌雄一対のコネクタを完全嵌合した状態で、レバーの雌コネクタハウジング外周からの突出量が０（零）であるから、雌雄一対のコネクタを嵌合状態で小型化することができるとともに、外力等による雌雄一対のコネクタの嵌合の誤解除を防止することができる。
【００６０】
請求項２に記載の発明によれば、水平リブ摺動溝をレバー本体が挿通する回動用凹部の対向する両対向面に設けているので、水平リブは水平リブ摺動溝に案内されて水平方向へ移動するとともにレバー本体は回動用凹部を水平方向へ移動する。
【００６１】
したがって、請求項１に記載の発明の作用と同等の作用が得られる。
【図面の簡単な説明】
【図１】一実施形態を示す分解斜視図である。
【図２】図１に示すものの雌コネクタの平面図である。
【図３】図２に示すもののIII−III線断面図である。
【図４】図２に示すもののIV−IV線断面図である。
【図５】（ａ）〜（ｃ）は一実施形態の作用状態を示す断面説明図である。
【図６】（ｄ）〜（ｆ）は一実施形態の作用状態を示す断面説明図である。
【図７】（ｇ）、（ｈ）は一実施形態の作用状態を示す断面説明図である。
【図８】従来例を示す分解斜視図である。
【図９】（ａ）〜（ｃ）従来例の作用状態を示す説明図である。
【符号の説明】
１  レバー嵌合式コネクタ
３  雄コネクタハウジング
５  フード部
５ａ  フード部の壁部
７  雌コネクタハウジング
９  操作部
１１  レバー
１３  端子収容室
２１  レバー本体
２５  水平リブ
２７  垂直リブ
３３  垂直リブ摺動溝
３５  回動用凹部
３５ａ  回動用凹部の対向面
３７  水平リブ摺動溝
３９  収納部
Ａ  突出量低減手段
【図１】
0003670512.tif 000002
【図２】
0003670512.tif 000003
【図３】
0003670512.tif 000004
【図４】
0003670512.tif 000005
【図５】
0003670512.tif 000006
【図６】
0003670512.tif 000007
【図７】
0003670512.tif 000008
【図８】
0003670512.tif 000009
【図９】
0003670512.tif 000010